(57)【要約】【課題】  複数の誘導電力アウトレット（２０）から複数の誘導電力レシーバ（３０）への配電を制御するためのシステム及び方法【解決手段】  誘導アウトレット（２０）およびレシーバ（３０）は、一意の識別ラベルを伝達するための信号伝送システム（４０）を備えている。モジュール式の視覚ディスプレイ（１３０）および相互互換的に位置する電気装置（２３４）の制御に関する用途が記載される。【選択図】図２ａ
2012520483.tif 000002
【特許請求の範囲】
【請求項１】
配電システムであって、複数の一意的にラベルをつけられた誘導電力アウトレットと、複数の一意的にラベルをつけられた誘導電力レシーバと、１台の前記誘導電力アウトレットと１台の前記誘導電力レシーバとの間で識別ラベルを伝達するための信号伝送システムと、を備えるシステム。
【請求項２】
請求項１の配電システムであって、前記電力アウトレットが、駆動ユニット経由で電源に配線される少なくとも１台の一次インダクタを備え、および、前記電力レシーバが、誘導結合を形成するために前記一次インダクタとの結合のための少なくとも１台の二次インダクタを備える、システム。
【請求項３】
前記誘導電力レシーバが交換可能なユニットと関連付けられ、前記ユニットが前記誘導電力アウトレットの間で交換可能な、請求項１の配電システム。
【請求項４】
前記交換可能なユニットの各々が、調整可能な視覚特性を有するモジュール式のディスプレイパネルを備え、前記パネルが表面を覆ってかつ拡張された視覚提示を表示するために組み合わせるためのものである、ことを特徴とする請求項３の配電システム。
【請求項５】
前記交換可能なユニットが電気装置と関連付けられ、および、前記配電システムが電力を特定の電気装置に選択的に切替えるための中央コントローラを更に備える、ことを特徴とする請求項３の配電システム。
【請求項６】
前記交換可能なユニットが、照明ユニットを備え、前記配電システムが、特定の照明ユニットに電力を選択的に切替えるための中央コントローラを更に備える、ことを特徴とする請求項３の配電システム。
【請求項７】
請求項１の配電システムであって、更に、
駆動ユニット経由で電源に配線するための少なくとも１台の一次インダクタを備える少なくとも１台の前記一意的にラベルをつけられた誘導電力アウトレットと、
誘導結合を形成するために前記一次インダクタとの結合のための少なくとも１台の二次インダクタを備える少なくとも１台の前記一意的にラベルをつけられた誘導電力レシーバと、を備える、少なくとも１対の組みにされた誘導対を備え、および
前記信号伝送システムが、前記誘導電力アウトレットと前記誘導電力レシーバとの間で識別ラベルを伝達するためのものである、システム。
【請求項８】
前記信号伝送システムが、ｉ．データ信号を生成するための少なくとも１台の信号発生器、ｉｉ．前記データ信号を伝達するための少なくとも１台の伝送器、およびｉｉｉ．前記データ信号を検出するための少なくとも１台の検出器、を備える請求項７の組みにされた誘導対。
【請求項９】
前記伝送器が、発光ダイオード、無線送信機、光結合器、機械式発振器、オーディオソース、超音波トランスデューサおよび補助負荷伝達回路、からなる群から選ばれる、ことを特徴とする請求項８の組みにされた誘導対。
【請求項１０】
請求項８の組みにされた誘導対であって、前記駆動ユニットが前記一次インダクタ両端に駆動電圧を印加し、前記駆動電圧が前記誘導結合の共振周波数を越える伝送周波数で振動し、
前記信号伝送システムが、
前記一次インダクタに配線される受付回路であって、前記一次インダクタ両端の一次電圧の振幅をモニタするための電圧モニタを備える前記受付回路と、
前記二次インダクタに配線される伝達回路であって、少なくとも１個の電気素子を前記二次インダクタに断続的に接続することによって前記データ信号を生成し、それによって前記共振周波数を増大する前記信号発生器を備える前記伝達回路と、を備える誘導対。
【請求項１１】
請求項４の配電システムに用いられるモジュール式のディスプレイパネルであって、前記パネルが、
ａ．少なくとも１台の前記誘導電力アウトレットの一次インダクタと誘導的に結合するための二次インダクタを備える少なくとも１台の前記誘導電力レシーバ、および
ｂ．少なくとも１台のディスプレイドライバ経由で前記二次インダクタに電気的に接続される少なくとも１台の調整可能な視覚ディスプレイであって、前記ディスプレイドライバが、前記視覚パネルの外観を変えるための表示信号を供給する、ディスプレイ、を備えることを特徴とするパネル。
【請求項１２】
前記調整可能なパネルの非存在下で前記一次インダクタが電力を伝達することを防ぐための伝達ガード、を更に備える請求項１１のパネル。
【請求項１３】
前記誘導電力レシーバおよび前記視覚ディスプレイが、密封されたケーシング内に含有される、ことを特徴とする請求項１１のパネル。
【請求項１４】
前記一次インダクタが電力を伝達するのを止めた後で、前記視覚ディスプレイの外観が維持される、ことを特徴とする請求項１１のパネル。
【請求項１５】
請求項１４のパネルであって、
前記視覚ディスプレイが、画素のアレイを備え、前記画素の各々が少なくとも２つの光学状態を有する少なくとも１個の光学素子を備え、前記光学素子が少なくとも２本の電極と導電性接触し、
および前記表示信号が、前記電極の少なくとも１つの対に印加される電圧を備え、それによって前記光学素子を第１の光学状態から第２の光学状態に変更する、ことを特徴とするパネル。
【請求項１６】
前記ディスプレイドライバが、遠隔コントローラからの制御信号を検出するための信号検出器を更に備える、ことを特徴とする請求項１１のパネル。
【請求項１７】
前記ディスプレイドライバに前記パネルの座標を伝達するためのシステム、を更に備える請求項１１のパネル。
【請求項１８】
表面に取り付けるための取付け手段、を更に備える請求項１１のパネル。
【請求項１９】
請求項１１の複数の調整可能なパネルを備える壁。
【請求項２０】
複数の誘導電力アウトレットを更に備え、前記誘導電力アウトレットが、駆動ユニット経由で前記電源に接続される、前記二次インダクタと誘導的に結合するための、少なくとも１台の前記一次インダクタを備える、請求項１９の壁。
【請求項２１】
前記誘導電力アウトレットと前記誘導電力レシーバとの間でデータ信号を伝送するための信号伝送システムであって、データ信号を生成するための１台の信号発生器を備える前記信号伝送システムと、前記データ信号を伝達するための少なくとも１台の伝送器と、前記データ信号を検出するための少なくとも１台の検出器と、を更に備える請求項１１のパネル。
【請求項２２】
ａ）請求項１１の複数のディスプレイパネルであって、各前記ディスプレイパネルが視覚提示のセクションを表示する視覚出力を有する、パネルと、ｂ）遠隔表示エンジンから表示データを受信するための、かつ前記ディスプレイパネルの前記視覚出力を制御するためのディスプレイマスタと、を備える遠隔制御されたモジュール式のディスプレイ。
【請求項２３】
前記表示エンジンが、ウェブサイトを備える、ことを特徴とする請求項２２の遠隔制御されたモジュール式のディスプレイ。
【請求項２４】
前記表示エンジンが、少なくとも１台のコンピュータ端末によって制御される、ことを特徴とする請求項２２の遠隔制御されたモジュール式のディスプレイ。
【請求項２５】
前記コンピュータ端末が、前記視覚出力を制御するためのユーザインタフェースを与えるように使用可能なコンピュータ可読のコードを記憶する記憶媒体を備える、ことを特徴とする請求項２４の遠隔制御されたモジュール式のディスプレイ。
【請求項２６】
前記ユーザインタフェースが、前記ディスプレイパネルの視覚表現を備える、ことを特徴とする請求項２５の遠隔制御されたモジュール式のディスプレイ。
【請求項２７】
前記ユーザインタフェースが、前記ディスプレイパネルに表示されるべき画像を選ぶための手段を備える、ことを特徴とする請求項２５の遠隔制御されたモジュール式のディスプレイ。
【請求項２８】
前記表示エンジンが、前記画像の表示パラメータを調整するために使用可能である、ことを特徴とする請求項２７の遠隔制御されたモジュール式のディスプレイ。
【請求項２９】
前記表示パラメータが、サイズ、解像度およびファイル形式からなる群から選ばれる、ことを特徴とする請求項２８の遠隔制御されたモジュール式のディスプレイ。
【請求項３０】
前記ディスプレイモジュールが、支持構造物に取り付け可能である、ことを特徴とする請求項２２の遠隔制御されたモジュール式のディスプレイ。
【請求項３１】
前記ディスプレイモジュールが、前記視覚出力を調整するための駆動信号を供給するように使用可能な、ディスプレイドライバに配線される電力レシーバを備える、ことを特徴とする請求項２２の遠隔制御されたモジュール式のディスプレイ。
【請求項３２】
前記電力レシーバが、電源に配線される誘導電力アウトレットと誘導的に結合するための誘導電力レシーバを備える、ことを特徴とする請求項３１の遠隔制御されたモジュール式のディスプレイ。
【請求項３３】
駆動ユニット経由で電源に配線される少なくとも１台の一次インダクタを備える、ラベルをつけられた誘導電力アウトレットを、前記一次インダクタと結合するための少なくとも１台の二次インダクタを備える、ラベルをつけられた誘導電力レシーバと、組みにするための一方法であって、前記方法が以下のステップ、すなわち、
第１の識別コードによって誘導電力アウトレットにラベルをつけるステップと、
第２の識別コードによって誘導電力レシーバにラベルをつけるステップと、
信号伝送システムを準備するステップと、
前記一次インダクタに前記二次インダクタを整列配置するステップと、
前記誘導電力アウトレットと前記誘導電力レシーバとの間で識別符号を伝達するステップと、を含む方法。
【請求項３４】
特定の電気装置に対する配電を制御する一方法であって、前記方法が以下のステップ、すなわち、
複数のラベルをつけられた電力アウトレットを準備するステップと、
前記ラベルをつけられた電力アウトレットを電源に選択的に接続するためのコントローラを準備するステップと、
前記電気装置を、ラベルをつけられた誘導電力レシーバに接続するステップと、
請求項３３に従って１台の前記ラベルをつけられた誘導電力アウトレットと前記誘導電力レシーバを組みにするステップと、
前記コントローラが前記電源に前記組みにされた電力アウトレットを接続するステップと、を含む方法。
【請求項３５】
表面の視覚外観を調整する一方法であって、前記方法が、
ステップ（ａ）−少なくとも１台の一次インダクタを備える少なくとも１台の誘導電力アウトレットを準備するステップ、
ステップ（ｂ）−前記一次インダクタと誘導的に結合するための少なくとも１台の二次インダクタと、少なくとも１台のディスプレイドライバ経由で前記二次インダクタに電気的に接続される少なくとも１台の調整可能な視覚ディスプレイと、を備える少なくとも１台の誘導ディスプレイパネルを準備するステップ、および、
ステップ（ｄ）−前記視覚ディスプレイに表示信号を供給し、それによって前記表面の外観を変えるステップ、を含む方法。
【請求項３６】
前記ディスプレイドライバが、遠隔コントローラからの制御信号を検出するための信号検出器を備える、請求項３５の方法。
【請求項３７】
ステップ（ｃ）が、前記検出器が前記制御信号を受信するステップを含む、ことを特徴とする請求項３６の方法。
【請求項３８】
前記視覚ディスプレイが、画素のアレイを備え、前記画素が、少なくとも２つの光学状態を有する少なくとも１個の光学素子を備え、前記光学素子が少なくとも２本の電極と導電性接触し、前記視覚ディスプレイに表示信号を供給するステップ（ｄ）が、前記ディスプレイドライバが前記電極の少なくとも１つの対に電圧を印加し、それによって前記光学素子を第１の光学状態から第２の光学状態に変更するステップを含む、ことを特徴とする請求項３５の方法。
【請求項３９】
請求項３５の方法であって、複数の前記ディスプレイパネルが、共通のディスプレイマスタに接続され、各前記ディスプレイパネルが、視覚提示のセクションを表示する視覚出力を有し、そしてステップ（ｄ）が以下のサブステップ、すなわち、
ステップ（ｄ１）−前記ディスプレイマスタが遠隔表示エンジンから表示データを受信するステップ、および
ステップ（ｄ２）−前記ディスプレイマスタが前記表示データに応答して前記ディスプレイパネルの前記視覚出力を制御するステップ、を含むことを特徴とする方法。
【請求項４０】
前記表示エンジンが、インターネットに接続される、ことを特徴とする請求項３９の方法。
【請求項４１】
前記表示エンジンが、遠隔インターネット端末のユーザによってアクセス可能である、ことを特徴とする請求項４０の方法。
【発明の詳細な説明】
【技術分野】
【０００１】
本発明は、交換可能な電気装置に対する誘導配電を制御するための方法およびシステムに関する。特に、本発明は表面上に拡張された視覚提示を表示するためのディスプレイモジュールのような電気装置を制御することに関する。
【背景技術】
【０００２】
電力は、電磁誘導によって誘導電力アウトレットから誘導電力レシーバに伝送されることができる。誘導電力アウトレットは一般的にドライバ経由で電源に接続される一次インダクタを含み、および、誘導電力レシーバは一般的に電気負荷に接続されることができる二次インダクタを含む。電力は、関連づけられた変動磁場を生成する、一次インダクタ両端に発振電圧を印加するドライバによって電気負荷に伝送されることができる。二次インダクタが一次インダクタの変動磁場の近くに配置される時、電位がそれを横断して誘導される。
【０００３】
誘導電力伝送システムは、用途が広い配電を提供するのに役立つ。誘導電力レシーバに接続される電気装置は、接続配線を必要とすることなくアウトレットからアウトレットに移動されることができる。しかしながら、配電を制御する時、それらの移動が問題につながるおそれがある。結線で接続されたシステムでは、電気装置は中央で直ちに制御されることができるのに対して、単一電力アウトレットに連結されていない電気装置を中央で制御することは容易でない。
【０００４】
例えば、部屋の典型的結線で接続された照明回路は、複数の別々のランプを含むことができ、それぞれが、中央配電盤内の専用のスイッチによって制御される。誘導配電システムでは、これらのランプは交換可能であることができ、それで、特定のランプを制御するために単独でアウトレットに配線される中央コントローラを用いることは、非実用的である。
【０００５】
例えば沿道の広告で用いられる大きな視覚ディスプレイが一般的に動的でない点に更に注意される。一般的に、スローガンを持つ静的ポスターが交差点の近くにおよび高い認知度の他の領域で沿道に位置するビルボード上に単純に貼り付けられる。この種の表示を変更するために、例えばそれの内容を変えるために、異なるポスターが貼られる必要がある。この種のビルボードは一般に、一度に数日または数週の間、同じ広告を表示する。
【０００６】
例えばテレビジョン受信機およびコンピュータモニタのような電子視覚ディスプレイユニット（ＶＤＵ）は、電気信号として情報を受け取ってスクリーン上の視覚画像としての表示のためにそれらを変換する。多数のこの種のディスプレイユニットは個別光学素子である、画素から成る。液晶ディスプレイでは、これらの素子の光学状態がそれを横断して印加される電圧に応答して変化する。それの偏光、散乱角および各画素の反射率のような光学特性は、これらの光学状態に依存する。ディスプレイの各画素に選択的に電圧を与えることによって、視覚画像が構成され表示されることができる。
【０００７】
ＶＤＵが能動的に変化する広告を表示するために用いられることができるとはいえ、この種の広告ディスプレイは一般にビルボードより小さくて、高い設置および維持費を有する。
【発明の概要】
【発明が解決しようとする課題】
【０００８】
したがって、交換可能な電気装置に対する配電を制御するための、かつ、調整可能な視覚ディスプレイシステムに適用されることができる、効果的な中央制御システムに対する必要性がある。本願明細書に記載されている更なる実施態様が、この必要性に対処する。
【課題を解決するための手段】
【０００９】
本願明細書に記載されている実施態様は、複数の一意的にラベルをつけられた誘導電力アウトレット、複数の一意的にラベルをつけられた誘導電力レシーバおよび誘導電力アウトレットと誘導電力レシーバとの間で識別ラベルを伝達するための信号伝送システムを備える配電システムに関する。
【００１０】
種々の実施態様に従って、電力アウトレットは駆動ユニット経由で電源に配線される少なくとも１台の一次インダクタを備え、および、電力レシーバは誘導結合を形成するために一次インダクタとの結合のための少なくとも１台の二次インダクタを備える。
【００１１】
配電システムのいくつかの実施態様において誘導電力レシーバが、交換可能なユニットと関連付けられ、このユニットは誘導電力アウトレットの間で交換可能である。任意選択で、交換可能なユニットの各々が、調整可能な視覚特性、表面を覆って拡張された視覚提示を表示するように組み合わせるためのパネルを有するモジュール式のディスプレイパネルを備える。
【００１２】
一般的に、交換可能なユニットは電気装置と関連付けられ、および、配電システムは電力を特定の電気装置に選択的に切替えるための中央コントローラを更に備える。１つの特定の例において、交換可能なユニットが照明ユニットを備え、配電システムが特定の照明ユニットに電力を選択的に切替えるための中央コントローラを更に備える。
【００１３】
実施態様によっては、配電システムが更に、駆動ユニット経由で電源に配線するための少なくとも１台の一次インダクタを備える少なくとも１台の一意的にラベルをつけられた誘導電力アウトレットと、誘導結合を形成するために一次インダクタとの結合のための少なくとも１台の二次インダクタを備える少なくとも１台の一意的にラベルをつけられた誘導電力レシーバと、誘導電力アウトレットと誘導電力レシーバとの間で識別ラベルを伝達するための信号伝送システムと、を備える組みにされた誘導対を含む。
【００１４】
一般的に、信号伝送システムはデータ信号を生成するための少なくとも１台の信号発生器、データ信号を伝達するための少なくとも１台の伝送器およびデータ信号を検出するための少なくとも１台の検出器を備える。任意選択で、伝送器は、発光ダイオード、無線送信機、光結合器、機械式発振器、オーディオソース、超音波トランスデューサおよび補助負荷伝達回路を備える群から選ばれる。
【００１５】
駆動ユニットが誘導結合の共振周波数を越える伝送周波数で一次インダクタ両端に駆動電圧を印加する更なる一実施態様によれば、信号伝送システムが、一次インダクタに配線される受付回路であって、一次インダクタ両端の一次電圧の振幅をモニタするための電圧モニタを備える受付回路と、二次インダクタに配線される伝達回路であって、少なくとも１個の電気素子を二次インダクタに断続的に接続し、それによって共振周波数を増加させることによってデータ信号を生成する信号発生器を備える伝達回路と、を備える。
【００１６】
他の実施態様が調整可能な視覚特性を有するモジュール式のディスプレイパネルを提供し、このパネルが、ａ）電源に接続される誘導電力アウトレットの一次インダクタと誘導的に結合するための二次インダクタを備える少なくとも１台の誘導電力レシーバと、ｂ）少なくとも１台のディスプレイドライバ経由で二次インダクタに電気的に接続される、少なくとも１台の調整可能な視覚ディスプレイと、を備え、このディスプレイドライバが、視覚パネルの外観を変えるための表示信号を供給する。
【００１７】
任意選択で、調整可能なパネルはさらに、調整可能なパネルの非存在下で一次インダクタが電力を伝達することを防ぐための伝達ガードを備える。いくつかの実施態様によれば、誘導電力レシーバおよび視覚ディスプレイが、密封されたケーシング内に含有される。
【００１８】
好ましくは、一次インダクタが電力を伝達するのを止めた後で、視覚ディスプレイの外観が維持される。したがって、種々の実施態様において、視覚ディスプレイが画素のアレイを備え、画素の各々が、少なくとも２つの光学状態を有する少なくとも１個の光学素子であって、少なくとも２本の電極と導電性接触する光学素子を備え、および、表示信号が電極の少なくとも１つの対に印加され、それによって光学素子を第１の光学状態から第２の光学状態に変更する電圧を備える。
【００１９】
一般的に、ディスプレイドライバが遠隔コントローラからの制御信号を検出するための信号検出器を更に備える。任意選択で、調整可能なパネルがディスプレイドライバにパネルの座標を伝達するための測位システムを更に備える。いくつかの実施態様では、パネルが表面に取り付けるための取付け手段を有する。
【００２０】
本発明のいくつかの実施態様において、調整可能なパネルが誘導電力アウトレットと誘導電力レシーバとの間でデータ信号を伝送するための信号伝送システムを備え、この信号伝送システムが、データ信号を生成するための１台の信号発生器と、データ信号を伝達するための少なくとも１台の伝送器と、データ信号を検出するための少なくとも１台の検出器と、を備える。
【００２１】
他の実施態様が、複数のこの種の調整可能なパネルを備える壁を含む。任意選択で、この壁が、複数の誘導電力アウトレットであって、駆動ユニット経由で電源に接続される、二次インダクタと誘導的に結合するための、少なくとも１台の一次インダクタを備える誘導電力アウトレット、を更に備える。
【００２２】
他の実施態様に従って、ａ）各ディスプレイパネルが視覚提示のセクションを表示する視覚出力を有する、複数のディスプレイパネルと、ｂ）遠隔表示エンジンから表示データを受け取るためのかつディスプレイパネルの視覚出力を制御するためのディスプレイマスタと、を備える、遠隔制御されたモジュール式のディスプレイが提供される。
【００２３】
一般的に、表示エンジンはウェブサイトを備える。任意選択で、表示エンジンは少なくとも１台のコンピュータ端末によって制御される。おそらく、コンピュータ端末は視覚出力を制御するためのユーザインタフェースを提供するように使用可能なコンピュータ可読のコードを記憶する記憶媒体を備える。ユーザインタフェースは、ディスプレイパネルの視覚表現を備えることができる。好ましくは、ユーザインタフェースはディスプレイパネルに表示されるべき画像を選ぶための手段を備える。いくつかの実施態様では、表示エンジンは選択された画像の表示パラメータを調整するために使用可能である。例えば、表示パラメータはサイズ、解像度およびファイル形式からなる群から選ばれることができる。
【００２４】
本発明の種々の実施態様によれば、ディスプレイモジュールは支持構造物に装着可能である。任意選択で、ディスプレイモジュールは、視覚出力を調整するための駆動信号を供給するように使用可能なディスプレイドライバに配線される電力レシーバを備える。この種の電力レシーバは、電源に配線される誘導電力アウトレットと誘導的に結合するための誘導電力レシーバを備えることができる。
【００２５】
本発明の更なる一態様は、駆動ユニット経由で電源に配線される少なくとも１台の一次インダクタを備える、ラベルをつけられた誘導電力アウトレットを、一次インダクタとの結合のための少なくとも１台の二次インダクタを備える、ラベルをつけられた誘導電力レシーバと、組みにするための一方法を教示することであり、この方法が以下のステップ、すなわち、
■第１の識別コードで誘導電力アウトレットにラベルをつけるステップと、
■第２の識別コードで誘導電力レシーバにラベルをつけるステップと、
■信号伝送システムを準備するステップと、
■一次インダクタに二次インダクタを整列配置するステップと、
■誘導電力アウトレットと誘導電力レシーバとの間で識別符号を伝達するステップと、を含む。
【００２６】
任意選択で、この方法は特定の電気装置に対する配電を制御するように拡張されることができ、この拡張された方法が以下のステップ、すなわち、
■複数のラベルをつけられた電力アウトレットを準備するステップと、
■ラベルをつけられた電力アウトレットを電源に選択的に接続するためのコントローラを準備するステップと、
■電気装置を、ラベルをつけられた誘導電力レシーバに接続するステップと、
■ラベルをつけられた誘導電力アウトレットと誘導電力レシーバを組みにするステップと、
■コントローラが、組みにされた電力アウトレットを電源に接続するステップと、を含む。
【００２７】
本発明の別の態様が、表面の視覚外観を調整するための一方法を教示することであり、この方法が以下のステップ、すなわち、
■ステップ（ａ）−少なくとも１台の一次インダクタを備える少なくとも１台の誘導電力アウトレットを準備するステップと、
■ステップ（ｂ）−一次インダクタと誘導的に結合するための少なくとも１台の二次インダクタと、少なくとも１台のディスプレイドライバ経由で二次インダクタに電気的に接続される少なくとも１台の調整可能な視覚ディスプレイと、を備える、少なくとも１台の誘導電力レシーバを準備するステップと、
■ステップ（ｃ）−任意選択で、ディスプレイドライバが遠隔コントローラからの制御信号を検出するための信号検出器を備えるところで、この検出器が制御信号を受信するステップと、
■ステップ（ｄ）−視覚ディスプレイに表示信号を供給し、それによって表面の外観を変えるステップと、を含む。
【００２８】
任意選択で、視覚ディスプレイが画素のアレイを備えるところで、画素が少なくとも２つの光学状態を有する少なくとも１個の光学素子を備え、この光学素子が少なくとも２本の電極と導電性接触し、ディスプレイドライバが、電圧を電極の少なくとも１つの対に印加し、それによって光学素子を第１の光学状態から第２の光学状態に変更することができる。
【００２９】
この方法は、モジュール式のディスプレイを遠隔制御する方へ拡張されることができ、この拡張された方法が以下のステップ、すなわち、
■各ディスプレイパネルが、視覚提示のセクションを表示する視覚出力を有する、複数のディスプレイパネルを準備するステップと、
■各ディスプレイパネルを共通のディスプレイマスタに接続するステップと、
■ディスプレイマスタが遠隔表示エンジンから表示データを受信するステップと、
■ディスプレイマスタが表示データに応答してディスプレイパネルの視覚出力を制御するステップと、を含む。
【００３０】
一般的に、表示エンジンはインターネットに接続される。任意選択で、表示エンジンは遠隔インターネット端末のユーザによってアクセス可能である。
【図面の簡単な説明】
【００３１】
本発明のより良い理解のためにおよびそれがどのように実行に移されることができるかを示すために、単に例証として添付の図面に、参照がここでなされる。
【００３２】
次に詳細に図面に対する特定の参照によって、強調されるのは、示される詳細は、例として、および、本発明の好適な実施態様に関する例証となる議論のためだけにあり、ならびに、本発明の原理および概念上の態様の最も役立って容易に理解される記述であると信じられることを提供するために提示されることである。この点に関しては、本発明の基本理解のために必要であるより、より詳細に本発明の構造細部を示すために何の試みもなされず、本発明のいくつかの形態が実際問題としてどのように具体化されることができるかを当業者に明らかにする図面とともに記述がなされる。添付の図面において：
【００３３】
【図１】一実施態様に従う組みにされた誘導対の主構成要素を代表するブロック図である。
【図２ａ】別の実施態様に従う誘導アウトレットと組みにするように構成される誘導レシーバを含む交換可能なパネルを備えたディスプレイシステムの概略図である。
【図２ｂ】図２ａのディスプレイシステムの交換可能なパネルの分解略図を示す。
【図３】更なる実施態様に従って、種々の電気装置に対する電力具備を制御するための中央コントロールパネルを備えた、表面に組み込まれる誘導電力伝送システムの概略図である。
【図４ａ】別の実施態様に従って誘導電力アウトレットおよび誘導電力レシーバを組みにするための一方法の流れ図である。
【図４ｂ】さらに別の実施態様に従って誘導配電システム内の配電を制御するための一方法の流れ図である。
【図５ａ】複数のパネルから構成されるディスプレイシステムの一実施態様の模式的な分解図である。
【図５ｂ】別の実施態様に従うディスプレイシステムの主要な素子を示すブロック図である。
【図５ｃ】別の実施態様に従って複数の光学活性画素を組み込むディスプレイパネルの視覚ディスプレイの構成要素を示すブロック図である。
【図６】さらに別の実施態様に従って調整可能な視覚ディスプレイを準備するための一方法を代表する流れ図である。
【図７ａ】ディスプレイシステムの別の実施態様に従うインターネットに接続されるコンピュータ端末からモジュール式のディスプレイを遠隔で制御するためのシステムの主構成要素の概略図である。
【図７ｂ】種々の実施態様に従って視覚ディスプレイ内に文字および画像を構成するために用いられることができるドットマトリックスの概略図である。
【図８ａ】ディスプレイシステムの実施態様による使用のためのディスプレイ−マスタの主構成要素のブロック図である。
【図８ｂ】実施態様による使用のためのディスプレイモジュールの主構成要素を代表するブロック図である。および
【図９】別の実施態様に従うディスプレイシステムを遠隔制御するための一方法の流れ図である。
【発明を実施するための形態】
【００３４】
本発明の一実施態様に従う組みにされた誘導対１０の主構成要素のブロック図を示す図１を、ここで、参照する。誘導対１０は、誘導電力アウトレット２０および誘導電力レシーバ３０から成る。
【００３５】
誘導電力アウトレット２０は、駆動ユニット２３経由で電源２４に配線される、配線のコイル等のような、一次インダクタ２２から成る。駆動ユニット２３は、一次インダクタ２２を駆動するために必要な電子回路を与える。駆動電子回路は、例えば一次インダクタ２２両端に高周波発振電位を供給するためのスイッチユニットを含むことができる。
【００３６】
誘導電力レシーバ３０は、二次インダクタ３２を備える。誘導電力レシーバ３０は、任意選択で二次インダクタ３２の交流出力を負荷３４に対する直流の電流供給に変換するための整流器３３経由で、電気負荷３４に結合されることができる二次インダクタ３２を備える。
【００３７】
誘導対１０が更に信号伝送システム４０から成ることが、本発明の実施態様の特定の特徴である。信号伝送システム４０は、信号発生器４２、伝送器４４および検出器４６を含む。
【００３８】
信号発生器４２は、検出器４６に伝達するための伝送器４４に送られるデータ信号Ｓｄを生成する。理解されるであろうことは、伝送器４４が必要に応じて電力アウトレット２０または電力レシーバ３０のいずれかと関連付けられることができることである。したがって、データ信号Ｓｄの伝達は電力アウトレット２０から電力レシーバ３０まで、または電力レシーバ３０から電力アウトレット２０までのどちらかを与えられることができる。実際に、必要に応じて、双方向伝達経路が与えられることができる。
【００３９】
好ましくは、電力レシーバ３０および電力アウトレット２０が、一意の識別子で両方ともラベルをつけられる。信号伝送システム４０は、誘導電力アウトレット２０と誘導電力レシーバ３０との間で識別ラベルを伝達するために用いられることができる。したがって、誘導対はその関連づけられた電力アウトレット２０に電力レシーバ３０の識別を伝達しておよび／または電力レシーバ３０に電力アウトレット２０の識別を伝達することによって一緒に組みにされることができる。
【００４０】
本発明の種々の実施態様は、種々の伝送器−検出器インタフェースを用いる。例えば、ランプ、発光ダイオードなどのような光伝送器が、光依存抵抗器、光依存トランジスタなどのような、光学検出器とインタフェースするために用いられることができる。代替配置が無線送受信機インタフェース、音声送受信機インタフェース、超音波トランスデューサ圧電検出器インタフェース、光結合器、コイル対コイルデータ伝送システムなどを用いることができる。
【００４１】
本発明の特定の好ましい一実施態様において、駆動ユニット２３が一次インダクタ２２両端に駆動電圧を印加し、それがシステムの共振周波数を越える伝送周波数で振動する。受付回路が、一次インダクタ２２に有効に配線される。受付回路は、一般的に一次コイル両端の電圧の振幅をモニタするための電圧モニタを備える。
【００４２】
伝達回路が、受付回路にデータ信号を送るための二次インダクタに、同様に配線される。伝達回路の特定の実施態様において、信号発生器は少なくとも１個の電気素子を二次インダクタ３２に断続的に接続することによってデータ信号を生成し、それによって共振周波数を増加させるように構成される。システムの共振周波数の各増加は、電圧モニタによってモニタされる電圧のスパイクとして受付回路によって検出されることができる。他の信号伝達システム４０が、必要に応じて本発明の他の実施態様に用いられるのに好まれることができる。
交換可能なディスプレイパネル
【００４３】
本発明の他の実施態様によれば、組みにされた誘導結合が複数の異なる電気装置に電力を供給するための配電システム内に用いられることができる。次に図２ａおよび２ｂを参照して、配電システム１００の一実施態様が提示される。画像が複数ディスプレイパネル１３０全体に提示されることができるように、システム１００は調整可能な視覚特性を有する表面１１２を提供する。ディスプレイパネル１３０は、誘導電力レシーバ１３２に配線される視覚出力表面１３４を有する交換可能なユニット１３１である。パネル１３０は、フック、ネジ、ピン、接着材、磁石などのようななんらかの固定手段によって支持構造物２０に接続されるのに適している。本発明の種々の実施態様において、システム１００が、なかでも、部屋の調整可能な装飾、双方向性サイン、電子広告ビルボード、舞台背景などを提供するために用いられることができる点に注意される。
【００４４】
例えば部屋の壁または床のような、支持構造物１２０が駆動ユニット１２３経由で電源に接続される誘導電力アウトレット１２２のアレイを含む。任意選択で、複数の誘導電力アウトレット１２２が共通の駆動ユニット１２３に接続される。特定の実施態様において、適切な配線１２５が、９０Ｖと２４０Ｖとの間の汎用ＡＣ電圧を供給するための、駆動ユニットに電力を供給するために用いられる一方、３Ａ導体１２７が電力アウトレット１２２に電力を分配するのに適していることができる。他の実施態様では、代替導体が必要に応じて選ばれることができる。
【００４５】
ディスプレイシステム１００の特定の実施態様においてディスプレイパネル１３０は、それらの関連づけられたパネルに対する所望の表示を指示する遠隔信号を受け取るように構成される個々のレシーバ１３５を更に備える。したがって、例えば、１行の４枚のパネル１３０ｋ、１３０ｈ、１３０ｅ、１３０ｂが、それら各々が、例えば語ＴＩＬＥ（タイル）をつづる、文字Ｔ、Ｉ、ＬおよびＥを表示することを指示する別々の信号を各々受信することができる。
【００４６】
特に、ディスプレイパネル１３０が互いに基本的に同一でおよびしたがって、直ちに交換可能である点に注意される。２枚のパネルが交換される時、所望の画像、例えば語ＴＩＬＥが保たれるために、支持構造物上で電力アウトレット１２２とパネルによってホストされる電力レシーバ１３２を組みにすることが、役立つ。したがって、第１の電力アウトレット１２２ｅと組みにされるＬ−パネル１３０ｅが第２の電力アウトレット１２２ｋと組みにされるＴ−パネル１３０ｋと交換されることになるならば、Ｌ−パネル１３０ｅの電力レシーバ１３２は第２の電力アウトレット１２２ｋと組みにし、および、Ｔ−パネル１３０ｋの電力レシーバ１３２は第１の電力アウトレット１２２ｅと組みにする。その新規な位置の結果として、Ｌ−パネル１３０ｅは文字Ｔを示すためにその表示を更新し、および、Ｔ−パネル１３０ｋは文字Ｅを示すためにその表示を更新する。したがって、語ＴＩＬＥは変化しないままである。
交換可能な電気装置
【００４７】
他の実施態様によれば、交換可能な電気装置が各電力レシーバと関連付けられることができる。図３は、壁２１０内に組み込まれる誘導電力アウトレット２２２のアレイからなる配電システム２００を示す。例えば照明設備２３４ａ、導電性電力アウトレットソケット２３４ｂおよびテレビ２３４ｃのような、交換可能な電気装置２３４が誘導電力レシーバ（図示せず）に配線される。
【００４８】
中央コントローラ２２６が、個々の装置２３４に対する電力を切替えるために設けられる。特定の電力アウトレット２２２と電力レシーバを組みにすることによって、専用の制御スイッチ２２７が特定の装置２３４を制御するために用いられることができる。電力レシーバが、特定の電気装置２３４とそれを関連づける組みにされた電力アウトレット２２２に識別コードを送ることができる。従って、専用の制御スイッチ２２７が特定の電気装置２３４、例えば照明設備２３４ａを制御するための信号を送る時、照明設備２３４ａと組みにされる電力アウトレット２２２だけが、例えば一次インダクタを活性化するかまたは非活性化することによって信号に応答する。したがって、照明設備２３４ａは別の位置へ移動されることができてかつ、要求に従って、別の電力アウトレット２２２と組みにされることができるが、それでも、照明設備２３４ａは同じ専用の電源スイッチ２２７によってなお中央で制御されることができる。
【００４９】
本発明のなお更なる実施態様において、組みにされた誘導電力アウトレットを伴う配電システムが、例えば、照明コンソールによって中央で制御される複数の舞台照明に電力を無線で供給するために役立つことができる。別の用途では、電力が複数のマイク、増幅器などに誘導的に与えられることができ、舞台を横切る危険なかつ見苦しい後方配線の必要性を避ける。その電流誘導アウトレットと各誘導レシーバを組みにすることによってコンサート中に最大の可動性を与える間、各ユニットが中央で制御されることができる。本発明の他の用途が、当業者に思いつくであろう。
【００５０】
図４ａを参照して流れ図が、誘導電力レシーバと誘導電力アウトレットを組みにするための一方法を代表して示される。この方法は、以下の諸ステップを含む：第１の識別コードで誘導電力アウトレットにラベルをつけるステップ４０１、第２の識別コードで誘導電力レシーバにラベルをつけるステップ４０２、信号伝送システムを準備するステップ４０３、一次インダクタに二次インダクタを整列配置するステップ４０４、および誘導電力アウトレットと誘導電力レシーバとの間で識別符号を伝達するステップ４０５。
【００５１】
図４ｂを参照して、特定の電気装置に対する配電を制御するための更なる一方法の流れ図が、提示される。この方法は、次のステップを含む：複数のラベルをつけられた電力アウトレットを準備するステップ４０６、ラベルをつけられた電力アウトレットを電源に選択的に接続するためのコントローラを準備するステップ４０７、電気装置を、ラベルをつけられた誘導電力レシーバに接続するステップ４０８、１台のラベルをつけられた誘導電力アウトレットと誘導電力レシーバを組みにするステップ４０９、およびコントローラが組みにされた電力アウトレットを電源に接続するステップ４１０。
モジュール式のディスプレイシステム
【００５２】
図２ａに関して上記したように、この配電システムは特にモジュール式のディスプレイシステムに適している。本発明の一実施態様に従って表面５１２に調整可能な提示を生成するためのモジュール式のディスプレイシステム５１０の別の実施態様の概略分解図を示す図５ａを、ここで、参照する。表面５１２は、ディスプレイパネル５３０のアレイおよび支持構造物５２０に取り付けられるブランクパネル５４０から構成される。
【００５３】
本発明の種々の実施態様によれば、システム５１０は、なかでも、部屋の調整可能な装飾、双方向性サイン、電子広告ビルボード、舞台風景などを提供するために用いられることができる。
【００５４】
例えば部屋の壁または床のような、支持構造物５２０が駆動ユニット５２３経由で電源に接続される誘導電力アウトレット５２２を含む電力供給基盤を含む。任意選択で、複数の誘導電力アウトレット５２２が共通の駆動ユニット５２３に接続される。特定の実施態様において、適切な配線５２５が、９０Ｖと２４０Ｖとの間の汎用ＡＣ電圧を供給するために、駆動ユニットに電力を供給するために用いられ、一方、３Ａ導体５２７が電力アウトレット５２２に電力を分配することに適していることができる。他の実施態様では、代替導体が必要に応じて選ばれることができる。
【００５５】
湿度、塵、塩などのような環境汚染物質から高圧配線を保護するために、好ましい実施態様において、電力供給基盤が環境から封止される。配電、熱分散などに対して電力供給基盤を更に最適化することができる駆動ユニット５２３および電力アウトレット５２２の他の構成が、当業者に思いつくであろう。
【００５６】
各ディスプレイパネル５３０は、誘導電力レシーバ５３２、ディスプレイドライバ５３３のアレイおよび調整可能な視覚ディスプレイ５３４を含有するケーシング５３１を含む。駆動信号がディスプレイドライバ５３３から受け取られる時、調整可能な視覚ディスプレイ５３４の外観が変化するように構成される。好ましい実施態様では、各ディスプレイドライバ５３３は視覚ディスプレイ５３４の別々のセクション５３５を駆動するように構成される。ケーシング５３１は、フック、ネジ、ピン、接着材、磁石などのようななんらかの固定手段によって支持構造物５２０に接続されるのに適している。
【００５７】
特に、本発明の実施態様において、電力が電磁誘導経由でディスプレイパネルに与えられ、したがって、パネルと支持構造物との間の導電接続の必要がない点に注意される。任意選択で、ケーシング５３１が環境から内部構成要素を保護するために封止される。理解されるであろうことは、パネルが戸外にさらされる時、例えば、ビルボード上に、建物の外面上などに取り付けられる時、密封されたケーシング５３１が特定の利点を代表することである。
【００５８】
ディスプレイパネル５３０と同じサイズおよび形状を有することができるブランクパネル５４０が、表面５１２を完成するために任意選択で用いられ、そこで、ディスプレイパネルで支持構造物を完全に覆うことは、不必要である。
【００５９】
ディスプレイシステム５１０の主要な素子が、図５ｂ内にブロック図の形で提示される。支持構造物５２０は電源５２４に配線されて、誘導ドライバ５２３経由で電源５２４から電力を引き出す一次インダクタ５２２’を含む。誘導コイルなどのような、一次インダクタ５２２’が、ディスプレイパネル５３０内に組み込まれる二次インダクタ５３２’と誘導的に結合するために設けられる。誘導ドライバ５２３は、一次インダクタ５２２’を駆動するのに必要な電子回路を与える。駆動電子回路は、例えば、高周波発振電圧供給を与えるスイッチユニットを含むことができる。支持構造物５２０が複数の一次インダクタ５２２’を含むところで、ドライバ５２３は加えて、どの一次インダクタ５２２’が駆動されるべきかを選択するセレクタから成ることができる。
【００６０】
ディスプレイパネル５３０は、一次インダクタ５２２’と誘導的に結合してディスプレイドライバ５３３のアレイに電力を供給するように構成される二次インダクタ５３２’を含む。各ディスプレイドライバ５３３は、視覚ディスプレイ５３４のセクション５３５の視覚外観を制御する駆動信号を出力するように構成される。任意選択で、ディスプレイドライバ５３３は視覚ディスプレイ５３４の関連づけられたセクション５３５の所望の外観を決定する遠隔入力を受信するための検出器５３６を更に含む。
【００６１】
好ましい実施態様において何のディスプレイパネル５３０も存在しない時、一次インダクタ５２２’が活性化されることを防ぐために伝達ガード５２１が設けられる。この種の伝達ガード５２１は、伝達ロック５２１Ｌおよび伝達キー５２１Ｋから成ることができる。伝達ロック５２１Ｌは、支持構造物５２０内に組み込まれて電源５２４と一次インダクタ５２２’との間に直列に接続される。伝達キー５２１Ｋは、ディスプレイパネル５３０内に組み込まれて一次インダクタ５２２’を、それが二次インダクタ５３２’と整列配置されると解錠する。
【００６２】
好ましくは、伝達ロック５２１Ｌは少なくとも１個の磁気スイッチを備え、および、伝達キー５２１Ｋは少なくとも１個の磁気素子を備える。特定の実施態様では、磁気素子はフェライト磁束誘導コアを備える。任意選択で、伝達ロック５２１Ｌは、磁気素子のマッチ構成によって活性化される時だけ、一次コイルを電源に接続するように構成される磁気スイッチのアレイを備える。一般的に、磁気スイッチは、例えばリードスイッチまたはホールスイッチのような磁気センサを備える。
【００６３】
他の実施態様において、伝達ガードは、解除信号を発するためのエミッタおよび解除信号を検出するための検出器を備え、伝達キー５２１Ｋはエミッタと検出器との間を架橋するための少なくとも１個のブリッジを備え、そうすると、二次コイルが一次コイルとの整列にもたらされる時、解除信号がエミッタから検出器まで導かれる。任意選択で、解除信号は光学信号であり、および、ブリッジは少なくとも１本の光学導波管を備える。代わりとして解除信号は磁気信号であり、および、ブリッジは磁束ガイドを備える。あるいは、また、解除信号は、機械信号、オーディオ信号、超音波信号およびマイクロ波を備える群から選ばれる。
【００６４】
不良のパネルが容易に交換されることができるように、本発明の好ましい実施態様においてディスプレイパネル５３０が直ちに交換可能であることができる点に注意される。この種の実施態様で理解されるであろうことは、パネルが交換されたところに保たれるべき複数パネル画像に対して、なんらかのシステムが、その位置と各パネルをマッチさせるために設けられなければならないことである。このために、各パネルに支持構造物のその位置を伝達するための、誘導アウトレット５２０と誘導レシーバ５３０との間の通信路を設けることが、有利であることができる。一実施態様に従って信号伝送システムが、誘導電力アウトレットと誘導電力レシーバとの間でデータ信号を伝送するために設けられ、それが、一般的にデータ信号を生成するための信号発生器、データ信号を伝達するための伝送器およびデータ信号を検出するための検出器を含む。
【００６５】
ディスプレイパネル５３０（図５ａ）に用いられる視覚ディスプレイ３４０の例示的な実施態様を代表する、図５ｃのブロック図を、ここで、参照する。視覚ディスプレイ３４０は、一般的に画素３４２のアレイから成る。好ましい実施態様において、それの状態を切替えた後に、画素３４２は、電力が印加されない時でさえ、それらの状態およびしたがって、それらの外観を保つように構成される。各画素３４２は、画素ドライバ３４８に配線される２本の電極３４６ａ、３４６ｂの間にはさまれる光学素子３４４を含む。画素ドライバ３４８は、必要に応じて駆動信号をそれらに供給するように構成されるディスプレイドライバ５３３と通信する。
【００６６】
光学素子３４４は、その状態に従い２つ以上の物理的状態、それの光学特性を想定することが可能な液晶のような光学活性材料を含む。画素ドライバ３４８は、スイッチング電圧が所定の閾値を上回ると、光学素子の光学状態が第１の光学状態から第２の光学状態に変化するように、電極３４６両端にスイッチング電圧を出力するように構成される。例えば、スイッチング電圧は、光線の強度が電圧によってそれを通して変化するように液晶を通過する光の一部を吸収する、偏光効果を引き起こすことができる。
【００６７】
いくつかの実施態様によれば、光学素子はスイッチング電圧が閾値より上に維持される限り、その第２の光学状態に能動的に保持される単安定材料であることができる。複数の単安定ディスプレイ技術が従来技術で周知でありかつ、例えば、散乱デバイス、ねじれネマティックデバイス（ＴＮ）、超ねじれネマティックデバイス（ＳＴＮ）、垂直整列ネマティックデバイス（ＶＡＮ）、平面方向スイッチング（ＩＰＳ）、電気制御表面（ＥＣＳ）などを含む。
【００６８】
好ましい実施態様において、光学素子は第１の光学状態および第２の光学状態が両方とも安定している双安定材料であるように選ばれる。いくつかの双安定デバイスでは、スイッチング電圧が光学素子を第１の安定光学状態から第２の安定光学状態に切替え、スイッチング電圧が除去されると、第２の光学状態が維持される。確かに、必要に応じて、一旦光学状態が変えられると、ディスプレイが自主的に接続を断つように、ディスプレイが構成されることは、役立つことができる。複数の双安定ディスプレイ技術が従来技術において周知で、例えば、強誘電性液晶デバイス（ＦＬＣ）、ＢｉＮｅｍデバイス、天頂双安定デバイス（ＺＢＤ）、ポスト配向双安定ディスプレイ（ＰＡＢＮ）、コレステリック液晶デバイス（ＣＬＣＤ）などを含む。
【００６９】
公知の任意の共通の画素駆動方法が、本発明の実施態様と連動して用いられることができることが留意される。例えば、セグメント駆動方法では、形状化された電極セグメントが、専用の画素ドライバに配線されることができ、かつ数字、文字、アイコンなどを構成するために用いられることができる。
【００７０】
代わりとしてマトリックス駆動方法が画素ドットのマトリックス、すなわち画素化されたアレイから文字および画像を構成する。マトリックスの画素は、セグメント駆動方法のセグメントに類似した方法で専用の画素ドライバを直接用いて駆動されることができる。しかしながら、ｎ行およびｍ列があるならば、直接駆動方法はｎｘｍ接続を必要とし、および、画素数が増大されるにつれて、専用のドライバの配線は非常に複雑になる。したがって、画素が垂直信号（「列」）電極と水平（「行」）走査電極の交点に配置される、いわゆる多重駆動方法が好まれることができる。したがって、各行を横切る全ての画素が１枚の基板上に一緒に接続され、および、各列内の全ての画素が対向する基板上に接続される。画素を切替えるために、電圧（＋Ｖ）がその画素を含む行に印加され、そして次に、対向する電圧（−Ｖ）がその画素を含む列に印加され、切替えられる必要がない列には電圧が印加されない。この構成の結果、ｎｘｍ接続を必要とする代わりに、多重方法は、ｎ＋ｍ接続を必要とするだけである。
【００７１】
理解されるであろうことは、電極および接続配線がさもなければ光学素子に対する見る人の視線を不明瞭にする用途において、例えばインジウム酸化スズ（ＩＴＯ）のような透明な導電材料から構成される電極を用いることが、有利である。
【００７２】
図６は、本発明のさらに別の実施態様に従う調整可能な視覚ディスプレイを提供するための一方法を代表する流れ図である。この方法は、以下の諸ステップを備える：
・（ａ）−少なくとも１台の一次インダクタを備える少なくとも１台の誘導電力アウトレットを準備するステップ６０１と、
・（ｂ）−一次インダクタと誘導的に結合するための少なくとも１台の二次インダクタ、および少なくとも１台のディスプレイドライバ経由で二次インダクタに電気的に接続される少なくとも１台の調整可能な視覚ディスプレイ、を備える少なくとも１台の誘導電力レシーバを準備するステップ６０２と、
・（任意選択の）（ｃ）−検出器が制御信号を受信するステップ６０３と、
・（ｄ）−視覚ディスプレイに表示信号を供給し、それによって視覚パネルの外観を変えるステップ６０４。
遠隔制御ディスプレイ
【００７３】
モジュール式のディスプレイ７１０を遠隔制御するためのシステム７１の主構成要素を図式的に示す図７ａに、参照がなされる。システム７１は、インターネット７３０に接続されるコンピュータ端末７２０および表示エンジンウェブサイト７３２と通信するモジュール式のディスプレイ７１０を含む。
【００７４】
モジュール式のディスプレイ７１０は、例えば壁または部屋の床のような、支持構造物７１４に取り付け可能であるディスプレイパネル７１２Ａ−Ｉのアレイを含む。ディスプレイパネル７１２は、種々の形状およびサイズを有することができる。任意選択で、同じように寸法を規定されたパネルが交換可能に構成される。共にパネルを用いて、複数ディスプレイパネル７１２にわたる拡張された画像が、提示されることができる。モジュール式のディスプレイ７１０は、なかでも、部屋の調整可能な装飾、双方向性サイン、電子広告ビルボード、舞台風景などを提供するために用いられることができる。
【００７５】
パネル７１４は、ディスプレイドライバ７１１のアレイおよび調整可能な視覚ディスプレイ７１３を含む。ディスプレイドライバ７１１は、視覚ディスプレイ７１３に駆動信号を送信するように構成される。その視覚外観が駆動信号に応答して変更されるように、視覚ディスプレイ７１３は適応される。好ましい実施態様において、各ディスプレイドライバ７１１が視覚ディスプレイ７１３の別々のセクションを駆動するように構成される。
【００７６】
フック、ネジ、ピン、接着材、磁石などのようななんらかの固定手段によって支持構造物７１４に接続されるのに適しているケーシング７１６内に、各パネルが封入されることができる。好ましい実施態様において、ケーシング７１６は更に、支持構造物７１４に取り付けられる誘導電力アウトレット７１５と誘導的に結合するように適応される、誘導電力レシーバ７１７を含む。したがって、支持構造物７１４は駆動ユニット７１９経由で電源に接続される誘導電力アウトレット７１５のアレイを組み込むことができる。任意選択で、複数の誘導電力アウトレット７１５が共通の駆動ユニット７１９に接続される。電力が電磁誘導経由でディスプレイパネルに供給されるところでは、パネル７１２と支持構造物７１４との間の導電接続の必要性がない。従って、ケーシング７１６が環境からディスプレイパネルの内部構成要素を保護するために封止されることができる。理解されるであろうことは、パネルが戸外にさらされる時、例えば、ビルボード上に、建物の外面上などに取り付けられる時、密封されたケーシング７１６は特定の利点を代表することである。
【００７７】
コンピュータ端末７２０は、インターネット７３０に接続されることができてモジュール式のディスプレイ７１０の視覚出力を制御するためのユーザインタフェースを提供することができる。好ましい実施態様において、ユーザインタフェースはモジュール式のディスプレイ７１０の視覚表現７１２’を含み、それがコンピュータ７２０のスクリーン７２２上に提示される。視覚表現７１２’は、モジュール式のディスプレイ７１０の同じように形状化されたディスプレイパネルＡ−Ｉに対応する仮想パネルＡ’−Ｉ’に分割される。ユーザインタフェースは、一般的にユーザが個々のパネル７１２上にまたはモジュール式のディスプレイ７１０の全部または一部の上に表示するための画像を選ぶことができる更なる手段を提供する。いくつかの実施態様において、ユーザインタフェースはブラウザから実行可能なプラグイン形アプリケーション、コンピュータによって直接実行可能なアドオンアプリケーションなどとしてコンピュータ７２０に記憶されるコンピュータ使用可能なコードであることができる。
【００７８】
通常ウェブサイト上にホストされる表示エンジン７３２は、コンピュータ端末７２０上で動作するユーザインタフェースから遠隔信号を受信するのに適している。表示エンジン７３２は、その画素解像度を調整するために、またはさもなければモジュール式のディスプレイ７１０への表示のための画像を最適化するために、ユーザにより選択された画像の大きさを変更するように使用可能である。最適化された視覚構成は、モジュール式のディスプレイ７１０を制御するディスプレイマスタ７１８に伝達される。表示エンジン７３２からモジュール式のディスプレイ７１０への通信路は、直接ケーブル接続経由であることができるか、あるいは、例えば、間接的通信路が３Ｇの電話のような通信装置７３４経由で設けられることができる。
【００７９】
次に図７ａを参照して、本発明の特定の実施態様に従う視覚ディスプレイ７１３（図７ａ）内に文字および画像を構成するために用いられることができるドットマトリックス７１３０が、示される。マトリックスの画素７１３２は、専用のドライバを直接用いて（セグメント駆動方法として公知の方法で）駆動されることができる。しかしながら、ｎ行およびｍ列があるならば、直接駆動方法はｎｘｍ接続を必要とし、および、画素数が増大されるにつれて、専用のドライバの配線は非常に複雑になる。
【００８０】
代わりとしていわゆる多重駆動方法が、用いられることができる。画素は垂直信号電極（または列電極）７１３４と水平走査電極（または行電極）７１３６の交点に配置される。したがって、各行を横切る全ての画素が１枚の基板上に一緒に接続され、および、各列内の全ての画素が対向する基板上に接続される。画素を切替えるために、電圧（＋Ｖ）がその画素を含む行に印加され、そして次に、対向する電圧（−Ｖ）がその画素を含む列に印加され、切替えられる必要がない列には電圧が印加されない。したがって、ｎｘｍ接続を必要とする代わりに、多重方法は、ｎ＋ｍ接続を必要とするだけである。一般的に、別々の電圧ドライバがこれらの接続部の各々に接続され、それによって合計ｎ＋ｍ個の電圧ドライバを必要とする。
【００８１】
共通の電圧ドライバ７１１２Ａ、７１１２Ｂが、ＭＵＸモジュール７１１４Ａ、７１１４Ｂによって制御される個々のスイッチ７１１６Ａ、７１１６Ｂ経由で複数電極に接続されることは、本発明の特定の実施態様の特徴である。任意選択で、第１の専用の電圧ドライバ７１１２Ａが列電極に電圧を供給し、および、第２の電圧ドライバ７１１２Ｂが行電極に電圧を供給し、各々、別々のＭＵＸモジュール７１１４Ａ、７１１４Ｂを伴う。代わりとして単一電圧ドライバ（図示せず）が全ての接続を制御することができる。さらに他の構成が、要件を満たすために用いられることができる。
【００８２】
次に図８ａを参照して、本発明の種々の実施態様に用いられるディスプレイマスタ８８０の主構成要素を代表するブロック図が示される。ディスプレイマスタ８８０は、プロセッサ８８２、インターネットケーブル通信機８８４、携帯ネットワーク通信機８８６およびモジュール通信機８８８を含む。
【００８３】
ディスプレイマスタ８８０は、表示エンジンウェブサイト８３２から画像データを受信する。画像データは、インターネットケーブル通信機８８４に接続されるケーブル経由でまたは携帯ネットワーク通信機８８６に接続される通信装置８３４経由で受信されることができる。プロセッサ８８２は、各ディスプレイパネルＡ−Ｉが視覚表現７１２’の対応する仮想パネルＡ’−Ｉ’（図７ａ）上に現れる画像のセクションに関連した画像データを受信するように、表示データをモジュール通信機８８８経由でディスプレイパネル７１２（図７ａ）に分配するように構成されて使用可能である。任意選択で、例えば、ディスプレイマスタ８８０は保守のためのまたはモジュール式のディスプレイ８１０（図７ａ）の開始のための補助コンピュータ８４０に直接接続されることができる。
【００８４】
次に図８ｂを参照して、本発明の実施態様に用いられるディスプレイモジュール８２０の主構成要素のブロック図が、示される。例示的な実施態様において、ディスプレイモジュール８２０は電力レシーバ８２２、信号通信機８２４、メモリ８２６、ディスプレイドライバ８２８およびディスプレイスクリーン８２９を含む。
【００８５】
誘導経由で支持構造物から電力を受け取るための二次インダクタを含む好ましい実施態様に従う電力レシーバ８２２は、必要に応じてディスプレイモジュールを動作させるために電力を供給する。
【００８６】
信号通信機８２４は、ディスプレイマスタ８８０のモジュール通信機８８８（図８ａ）から表示データを受信してマスタ８８０にフィードバックデータを伝達するように構成される。
【００８７】
メモリ構成要素８２６は、ディスプレイドライバ８２８に送信するための受信データを記憶することができる。任意選択で、メモリ構成要素８２６はディスプレイパネル上に種々の画像を選択的に表示するための複数のデータファイルを記憶することができる。
【００８８】
１つの構成によれば、メモリ構成要素８２６は複数の外部デュアルポートＲＡＭ  ８２７を備える。任意選択で、ＲＡＭがバス経由で信号通信機８２２と通信することができ、および、信号通信機８２２はメモリ８２６に対してデータを読出し及び書込みを行うように構成される。好ましくは、ユーザが必要に応じてバスからＲＡＭユニットを追加するかまたは除去することができるように、メモリは調整可能である。バスは、ディスプレイドライバ８２８に更に接続することができる。
【００８９】
好ましい実施態様において、ディスプレイモジュール８２０は一意の識別子によってラベルをつけられ、および、ディスプレイモジュール８２０の識別がディスプレイマスタ８８０に伝達される。一意の識別子は、例えばバーコードなどのようななんらかの読み込み可能な形式のシリアル番号であることができる。代わりとして、一意の識別子は通信機８２４経由で伝達されることができるメモリ構成要素８２６内に記憶されるデジタルコードであることができる。
【００９０】
本発明の例示的な実施態様に従うディスプレイシステムを遠隔制御するための一方法の流れ図を示す図９を、ここで、参照する。この方法は、以下の諸ステップを含む：複数のディスプレイパネルを準備するステップであって、各この種のディスプレイパネルが視覚提示のセクションを表示する視覚出力を有するステップ９０１と、各ディスプレイパネルを共通のディスプレイマスタに接続するステップ９０２と、ディスプレイマスタが、遠隔表示エンジンから表示データを受信するステップ９０３と、ディスプレイマスタが表示データに応答してディスプレイパネルの視覚出力を制御するステップ９０４。この方法が図６に関して上記の方法を拡張することができる点に注意される。特に、理解されるであろうことは、ディスプレイマスタのデータを受信するステップ９０３および視覚出力を制御するステップ９０４が、図６の方法のディスプレイシステムを準備するステップ（ｄ）６０４に対するサブステップとみなされることができることである。
【００９１】
本発明の種々の実施態様によれば、モジュール式のディスプレイは次のように動作される：ユーザがディスプレイパネルモジュールを、例えば壁にそれをつるすことによって、支持構造物に取り付ける。モジュールは、自動的にスイッチを入れて、開始のための補助コンピュータに接続されることができるディスプレイマスタと接続するように構成される。新しく設置されたモジュールが登録され、そのサイズ、形状および位置が記録される。更なるモジュールが取り付けられて登録されるにつれて、ディスプレイの完全なパターンが補助コンピュータ上に構成されることができる。新しくインストールされたディスプレイ構造は、Ｍａｃアドレス、ＩＰアドレスまたはそれのドメイン名のようなディスプレイマスタの識別コードと一緒にディスプレイ構造のパターンをアップロードすることによって表示エンジンウェブサイトに登録される。一旦登録されると、ディスプレイの視覚出力が表示エンジンウェブサイトに接続されるコンピュータ端末によって遠隔で制御されることができる。
【００９２】
以下に記載されるように、システムは設置モード、動作モードおよび保守モードのような複数の異なるモードで使用可能であることができる。
設置モード
【００９３】
新規なディスプレイ構成の設置中に、マスタが補助コンピュータに接続されることができる。各ディスプレイパネルモジュールが支持構造物に取り付けられるにつれて、モジュールはマスタにそのサイズ、形状および位置に関するデータを送る。マスタは、補助コンピュータにこの情報を中継するように構成される。これらのステップは、ディスプレイを構成する全てのモジュールに対して繰り返される。次いで、コンピュータはそれの全てのモジュールの形状、サイズ、位置および向きを含むディスプレイのモジュールのパターンを記憶する。モジュール式のディスプレイは、マスタの識別コードおよびインターネットアドレスと共に、ディスプレイのモジュールのパターンに関するデータを表示エンジンウェブサイトにアップロードすることによって登録されることができる。任意選択で、ディスプレイが表示エンジンに登録される時、マスタをその対応するディスプレイにマッチさせるためにＭａｃアドレスが記録される。ディスプレイのマスタが表示エンジンに登録されるＭａｃアドレスを変えることによって、切替えられることができる点に注意される。
【００９４】
複数のモジュール式のディスプレイが同時に開始されることができる点に注意される。各モジュールが正しいマスタにマッチすることが、したがって、必要である。いくつかの実施態様においてこれは、マスタがモジュールを捜すものであるように、モジュールのスイッチを入れる前にマスタによって読み取られることができる各モジュールの一意のバーコードを印刷することによって達成可能である。
【００９５】
ディスプレイが認可されたユーザだけによってアクセス可能であるべきである点に更に注意される。例えば、パスワードおよびＳＳＬ、ＴＬＳなどのようなセキュアな接続でそれに対するアクセスを保護することによって、これは達成されることができる。モジュールを接続する時、ディスプレイがパスワードに対する各モジュールシリアル番号のマッチングを必要とすることによって更に保護されることができる。
【００９６】
マスタとモジュールとの間の伝達は無線であることができ、一方、マスタと補助コンピュータとの間の接続は一般に接続ケーブル経由である。表示エンジンは、システムに組み込まれることができる、３Ｇのネットワーク装置などのような、携帯通信装置経由でマスタと通信することができる。追加的な通信路が、有線のインターネット接続を用いることができる。
【００９７】
いくつかの実施態様において、ディスプレイから表示エンジンへの視覚フィードバックが、遠隔コントローラ経由でアクセスされることができる。例えば、ディスプレイの視覚出力の方へ向けられるカメラが設けられ、それの出力が表示エンジンに中継されることができる。
動作モード
【００９８】
動作モードにおいて、ユーザは表示エンジン経由でインターネットに接続されるコンピュータ端末からモジュールのサインを遠隔制御することができる。一般的に、ユーザはウェブブラウザ経由で表示エンジンウェブサイトに接続する。代わりとしてスタンドアロンアプリケーションがユーザの通信装置上で実行可能であることができる。
【００９９】
ユーザは、好ましくはディスプレイのモジュールのパターンの仮想表現によって提示される。パネルの視覚出力は、所望の画像を選んでモジュールのパターン上にこの画像を配置することによって変更されることができる。所望の構成が、次いで表示エンジンにアップロードされる。表示エンジンは、ディスプレイの解像度を満たすために画像を処理するように構成される。例えば、３バイトのデジタルデータが動的テーブルを用いて各画素にマッチされることができる。さらに、表示データが個々のディスプレイモジュールへの分配のためのサブユニットに分割されることができ、かつサイト−マスタプロトコルに従ってマスタに送られることができる。ユーザは、サインに複数の画像を送るオプションを有することができる。ディスプレイマスタが表示データを受信する時、データの各サブユニットがマスタモジュールプロトコルに従って対応するディスプレイパネルに送られる。ディスプレイパネルは、メモリにデータを保存するように構成されることができ、かつデータ伝送が終わると、ディスプレイドライバ内のＭＣＵを中断することができる。表示エンジンは、また、特定のモジュール、モジュールの群または全ディスプレイをさえ遮断することができる。
【０１００】
いくつかの実施態様において、ユーザはディスプレイからのフィードバックを要求することができる。この種の要求に対するウェブサイト応答が、表示データが送られる頻度を少しも越えない頻度を有するべきである点に注意される。第１のフィードバック構成において、自動フィードバックが表示データの各パッケージの後で送られる。ディスプレイマスタは、ディスプレイモジュールにフィードバック要求をブロードキャストすることができる。モジュールは、要求を受信して、ディスプレイドライバ内のＭＣＵを中断して応答を待つ。ディスプレイシステムのＭＣＵは、次いでモジュール内のオペレーションシステムを中断して要求に応答する。データはディスプレイドライバからサイト−マスタプロトコルに従ってオペレーションシステムに伝送されることができ、および、モジュールは表示エンジンサイトに中継されるべきマスタに応答を送ることができる。
【０１０１】
第２のフィードバック構成によれば、フィードバックはディスプレイモジュールによって開始される。ディスプレイドライバのＭＣＵは、モジュール内のオペレーションシステムを中断してフィードバックを送る。データは次いでディスプレイドライバからオペレーションシステムまで伝送され、および、モジュールは表示エンジンサイトに中継されるマスタにデータを送る。なお第３のフィードバック構成では、フィードバックはユーザによって開始される。ユーザは、ウェブサイト経由で適切なフィードバックを要求して特定のモジュールに要求を送るかまたは全てのモジュールにそれをブロードキャストするべきかどうか決定することができる。
【０１０２】
特定の実施態様において、フィードバック信号は長さ３２バイトであっておよび、例えば、不良の種類およびモジュールの温度のような不良通知に関するデータを含む。そのモジュールがフィードバック要求に対する応答に失敗する場合には、マスタはモジュールのシリアル番号を含むフィードバックデータを送ることができる。ユーザは、いつでもモジュールの数および位置を更に変えてウェブサイト経由でこの種の変更を更新することができる。
【０１０３】
一般的に、ディスプレイマスタは動作モード中に補助コンピュータに接続されない。表示エンジンが好ましくは例えば携帯電話のような他の通信装置からアップロードされた画像を受信することと互換性がある点に注意される。
保守モード
【０１０４】
保守モードにおいて、ユーザは表示エンジンを迂回して補助コンピュータを直接用いてディスプレイマスタを制御するオプションを有する。補助コンピュータは、ディスプレイドライバのそれ、同じく設置中に用いられるそれに類似した機能を有するスタンドアロンアプリケーションを実行することができる。例えば、補助コンピュータはユーザが、モジュールを設置して取り外す、フィードバックを要求する、制御命令を送る、画像を送る、などのディスプレイマスタ機能を動作させることを可能にすることができる。
【０１０５】
したがって、上記の種々の実施態様は、複数のアウトレットに対する電力を制御するための配電システムを提供する。システムは、交換可能な電気装置およびモジュール式のディスプレイユニットを制御するために特に役立つ。種々の実施態様が、本発明を例示するために提供されているが、しかしながら、本発明の有効範囲は、添付の特許請求の範囲によって規定され、かつ先に記載されているさまざまな特徴の組合せおよび副組合せ、同じくその変形例および変更態様を含み、それは、上記の記述を読み込むと即座に、当業者に思いつくであろう。
【０１０６】
請求項において、語「備える（ｃｏｍｐｒｉｓｅ）」、および、「備える（ｃｏｍｐｒｉｓｅｓ）」、「備えた（ｃｏｍｐｒｉｓｉｎｇ）」などのようなその変形はリストされた構成要素が含まれることを示唆するが、しかし、一般に他の構成要素の除外を示唆しない。
【符号の説明】
【０１０７】
１０  誘導対
２０  誘導電力アウトレット  支持構造物
２２  一次インダクタ
２３  駆動ユニット
２４  電源
３０  誘導電力レシーバ
３２  二次インダクタ
３３  整流器
３４  負荷
４０  信号伝送システム
４２  信号発生器
４４  伝送器
４６  検出器
７１  システム
１００  配電システム
１１２  表面
１２０  支持構造物
１２２  誘導電力アウトレット
１２２ｅ  第１の電力アウトレット
１２２ｋ  第２の電力アウトレット
１２３  駆動ユニット
１２５  配線
１２７  導体
１３０  １３０ｋ、１３０ｈ、１３０ｅ、１３０ｂ  ディスプレイパネル
１３１  交換可能なユニット
１３２  誘導電力レシーバ
１３４  視覚出力表面
１３５  レシーバ
２００  配電システム
２１０  壁
２２２  誘導電力アウトレット
２２６  中央コントローラ
２２７  制御スイッチ
２３４  電気装置
２３４ａ  照明設備
２３４ｂ  ソケット
２３４ｃ  テレビ
３４０  視覚ディスプレイ
３４２  画素
３４４  光学素子
３４６、３４６ａ、３４６ｂ  電極
３４８  画素ドライバ
５１０  モジュール式のディスプレイシステム
５１２  表面
５２０  支持構造物  誘導アウトレット
５２１  伝達ガード
５２１Ｋ  伝達キー
５２１Ｌ  伝達ロック
５２２  誘導電力アウトレット
５２２’  一次インダクタ
５２３  駆動ユニット  誘導ドライバ
５２４  電源
５２５  配線
５２７  導体
５３０  ディスプレイパネル  誘導レシーバ
５３１  ケーシング
５３２  誘導電力レシーバ
５３２’  二次インダクタ
５３３  ディスプレイドライバ
５３４  視覚ディスプレイ
５３５  セクション
５３６  検出器
５４０  ブランクパネル
７１０  モジュール式のディスプレイ
７１１  ディスプレイドライバ
７１２、７１２Ａ−Ｉ  ディスプレイパネル
７１２’  視覚表現
７１３  視覚ディスプレイ
７１４  支持構造物  パネル
７１５  誘導電力アウトレット
７１６  ケーシング
７１７  誘導電力レシーバ
７１８  ディスプレイマスタ
７１９  駆動ユニット
７２０  コンピュータ端末
７２２  スクリーン
７３０  インターネット
７３２  表示エンジンウェブサイト
７３４  通信装置
８１０  モジュール式のディスプレイ
８２０  ディスプレイモジュール
８２２  電力レシーバ  信号通信機
８２４  信号通信機
８２６  メモリ
８２７  デュアルポートＲＡＭ
８２８  ディスプレイドライバ
８２９  ディスプレイスクリーン
８３２  表示エンジンウェブサイト
８３４  通信装置
８４０  補助コンピュータ
８８０  ディスプレイマスタ
８８２  プロセッサ
８８４  インターネットケーブル通信機
８８６  携帯ネットワーク通信機
８８８  モジュール通信機
７１１２Ａ、７１１２Ｂ  電圧ドライバ
７１１４Ａ、７１１４Ｂ  ＭＵＸモジュール
７１１６Ａ、７１１６Ｂ  スイッチ
７１３０  ドットマトリックス
７１３２  画素
７１３４  垂直信号電極
７１３６  水平走査電極
【図２ａ−３】
2012520483.tif 000003
【図５ａ】
2012520483.tif 000004
【図１】
2012520483.tif 000005
【図４ａ】
2012520483.tif 000006
【図４ｂ】
2012520483.tif 000007
【図５ｂ】
2012520483.tif 000008
【図５ｃ】
2012520483.tif 000009
【図６】
2012520483.tif 000010
【図７ａ】
2012520483.tif 000011
【図７ｂ】
2012520483.tif 000012
【図８ａ】
2012520483.tif 000013
【図８ｂ】
2012520483.tif 000014
【図９】
2012520483.tif 000015
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
遠隔制御されたモジュール式のディスプレイであって、
複数のディスプレイパネルであって、各前記ディスプレイパネルが視覚提示のセクションを表示する視覚出力を有するパネルと、
遠隔表示エンジンから表示データを受信するための、かつ前記ディスプレイパネルの前記視覚出力を制御するためのディスプレイマスタと、を備え、
前記表示エンジンが、前記視覚出力を制御するためのユーザインタフェースを与えるように使用可能なコンピュータ可読のコードを記憶する記憶媒体を備える、少なくとも１台のコンピュータ端末によって制御される、ことを特徴とするディスプレイ。
【請求項２】
前記ユーザインタフェースが、前記ディスプレイパネルの視覚表現を備える、ことを特徴とする請求項１の遠隔制御されたモジュール式のディスプレイ。
【請求項３】
前記ユーザインタフェースが、前記ディスプレイパネルに表示されるべき画像を選ぶための手段を備える、ことを特徴とする請求項１または請求項２の遠隔制御されたモジュール式のディスプレイ。
【請求項４】
前記表示エンジンが、前記画像の表示パラメータを調整するために使用可能である、ことを特徴とする請求項１ないし３のいずれかの遠隔制御されたモジュール式のディスプレイ。
【請求項５】
前記表示パラメータが、サイズ、解像度およびファイル形式からなる群から選ばれる、ことを特徴とする請求項４の遠隔制御されたモジュール式のディスプレイ。
【請求項６】
前記ディスプレイモジュールが、支持構造物に取り付け可能である、ことを特徴とする請求項１ないし５のいずれかの遠隔制御されたモジュール式のディスプレイ。
【請求項７】
前記ディスプレイモジュールが、前記視覚出力を調整するための駆動信号を供給するように使用可能な、ディスプレイドライバに配線される電力レシーバを備える、ことを特徴とする請求項１ないし６のいずれかの遠隔制御されたモジュール式のディスプレイ。
【請求項８】
前記電力レシーバが、電源に配線される誘導電力アウトレットと誘導的に結合するための誘導電力レシーバを備える、ことを特徴とする請求項７の遠隔制御されたモジュール式のディスプレイ。
【請求項９】
請求項１ないし８のいずれかの遠隔制御されたモジュール式のディスプレイであって、少なくとも１枚の前記ディスプレイパネルが、
電源に接続される誘導電力アウトレットの一次インダクタと誘導的に結合するための二次インダクタを備える少なくとも１台の誘導電力レシーバと、
少なくとも１台のディスプレイドライバ経由で前記二次インダクタに電気的に接続される少なくとも１台の調整可能な視覚ディスプレイであって、前記ディスプレイドライバが、前記視覚パネルの外観を変えるための表示信号を供給する、ディスプレイと、を備えることを特徴とするディスプレイ。
【請求項１０】
少なくとも１台の前記ディスプレイパネルが、前記ディスプレイドライバに前記パネルの座標を伝達するための測位システムを備える、ことを特徴とする請求項１ないし９のいずれかの遠隔制御されたモジュール式のディスプレイ。
【請求項１１】
少なくとも１台の前記ディスプレイパネルが、表面に取り付けるための取付け手段を備える、ことを特徴とする請求項１ないし１０のいずれかの遠隔制御されたモジュール式のディスプレイ。
【請求項１２】
モジュール式のディスプレイを遠隔制御するための一方法であって、以下のステップ、すなわち、
複数のディスプレイパネルを準備するステップであって、各前記ディスプレイパネルが視覚提示のセクションを表示する視覚出力を有するステップと、
各前記ディスプレイパネルを共通のディスプレイマスタに接続するステップと、
前記視覚出力を制御する表示エンジンを制御するためのユーザインタフェースを準備するステップと、
前記ディスプレイマスタが、前記表示エンジンから表示データを受信するステップと、  前記ディスプレイマスタが、前記表示データに応答して前記ディスプレイパネルの視覚出力を制御するステップと、を含む方法。
【請求項１３】
少なくとも１台の前記ディスプレイパネルが、少なくとも１台のディスプレイドライバに電気的に接続される調整可能な視覚ディスプレイを備え、および前記ディスプレイマスタが前記表示データに応答して前記ディスプレイパネルの視覚出力を制御する前記ステップが、関連づけられる前記調整可能な視覚ディスプレイに表示信号を供給するステップを含む、ことを特徴とする請求項１２の方法。
【請求項１４】
前記視覚ディスプレイが、画素のアレイを備え、前記画素が、少なくとも２つの光学状態を有する少なくとも１個の光学素子を備え、前記光学素子が少なくとも２本の電極と導電性接触し、前記視覚的ディスプレイに表示信号を供給する前記ステップが、前記ディスプレイドライバが前記電極の少なくとも１つの対に電圧を印加し、それによって前記光学素子を第１の光学状態から第２の光学状態に変更するステップを含む、ことを特徴とする請求項１３の方法。
【請求項１５】
前記デジタルマスタが、少なくとも１台の一次インダクタを備える少なくとも１台の誘導電力アウトレットを備え、および前記ディスプレイパネルが前記一次インダクタと誘導的に結合するための少なくとも１台の二次インダクタを備える、ことを特徴とする請求項１２ないし１４のいずれかの方法。
【国際調査報告】
2012520483.tif 000016
2012520483.tif 000017
2012520483.tif 000018